(57)【要約】      （修正有）【課題】    中継筒の両端に先筒、先筒を回動可能に連結し、繰出機構、繰出機構を構成し、棒状化粧材が個々に摺動する両軸繰出容器を提供する。【解決手段】  本棒状化粧材両軸繰出容器１は、中継筒２０両端に先筒１０Ａ、先筒１０Ｂを回動可能に連結し、棒状化粧材Ａ１を先端に固着した芯チャック部材３０ａを先筒１０Ａ内に収容し、先筒１０Ａと芯チャック部材３０ａと中継筒２０内の螺旋溝で繰出機構を構成するとともに、棒状化粧材Ｂ１を先端に固着した芯チャック部材を先筒１０Ｂ内に収容し、先筒１０Ｂと芯チャック部材３０ｂと中継筒２０内の螺旋溝で繰出機構を構成したことを特徴とする。【選択図】    図１
2005066234.tif 000002
【特許請求の範囲】
【請求項１】
内径に螺旋溝を有する中継筒の両端に、回動可能にそれぞれ先筒Ａ、先筒Ｂを連結し、前端に棒状化粧材（化粧用備品を含む）を保持する保持部を備えた芯チャック部材ａを前記先筒Ａ内に収容し、この先筒Ａ、芯チャック部材ａ及び先筒Ａ側の前記中継筒内の螺旋溝で繰出機構Ａを構成するとともに、前端に棒状化粧材（化粧用備品を含む）を保持する保持部を備えた芯チャック部材ｂを前記先筒Ｂ内に収容し、先筒Ｂと芯チャック部材ｂ  先筒Ｂ側の中継筒内の螺旋溝で繰出機構Ｂを構成することを特徴とする棒状化粧材両軸繰出容器。
【請求項２】
棒状化粧材Ａ及び棒状化粧材Ｂのそれぞれの外形寸法が同寸法で形成され、前記繰出機構Ａ＝繰出機構Ｂであることを特徴とする、請求項１記載の棒状化粧材両軸繰出容器。
【請求項３】
中継筒は、両端開口孔付近内径に先筒Ａ及び先筒Ｂを回動可能に連結する嵌合凹部が設けられるとともに、軸方向の内径ほぼ中央に底面が設置され、この底面よりそれぞれの開口孔方向に螺旋溝が形成されていることを特徴とする請求項１記載の棒状化粧材両軸繰出容器。
【請求項４】
中継筒は、両端開口孔付近内径に先筒Ａ及び先筒Ｂを回動可能に連結する嵌合凹部が設けられるとともに、内径軸方向にそれぞれのストローク長にわたる螺旋溝が形成されていることを特徴とする請求項１記載の棒状化粧材両軸繰出容器。
【発明の詳細な説明】
【技術分野】
【０００１】
本発明は、棒状化粧材（アイブロウ、アイライナー、リップライナー、口紅等）の棒状化粧材を、容器の両端より繰り出し、引き込み出来る両軸繰出式棒状化粧材容器に関する。
【背景技術】
【０００２】
図９は、特開平１０−４２９４７号公報に開示された棒状化粧材両軸繰出容器の縦一部断面図である。この発明は、部品点数を極力少なくし、製造コストを軽減する目的でなされ、従来のものと比較して、部品点数が少ないために低コスト化を実現させた、すぐれた両軸繰出容器である。
【０００３】
この発明の特徴は、中間軸１０５内に一本の押棒１０３が収容され、この押棒１０３は全長にわたりオネジ１２１が切られ、中間筒内のメネジ１３３に螺合することで螺合機構とし、それぞれの端筒、端筒Ａ、端筒Ｂは前記押棒１０３と同期に回動する回転止め機構を有することで、繰出機構としている。
【０００４】
そのため、押棒１０３は、端筒Ａ方向に移動して端筒Ａの先端開口孔１１０より棒状化粧材を進出しているときは、端筒Ｂ内の棒状化粧材は端筒Ｂ内に深く収容されてしまうため、この両軸繰出容器では、端筒Ａ側の棒状化粧材と端筒Ｂ側の棒状化粧材の両方を一度に使用することが不可能である。
【特許文献１】特開平１０−４２９４７号公報
【発明の開示】
【発明が解決しようとする課題】
【０００５】
本発明は上記問題に鑑みなされたもので、特開平１０−４２９４７号公報の目的である、部品点数を極力少なくした両軸容器にもかかわらず、先筒（端筒）Ａ側より使用される棒状化粧材と、先筒（端筒）Ｂ側より使用される棒状化粧材を同時に使用可能とすることで、化粧をする際の便利性を追求したものである。
【０００６】
また、先筒Ａ側に使用される繰出機構Ａと、先筒Ｂ側に使用される繰出機構Ｂを全く同一にすることも、形態の異なる繰出機構とすることも可能で、先筒Ａ側の繰出ストロークと先筒Ｂ側の繰出ストロークを自由に選択可能なため、様々なニーズに合った、棒状化粧材両軸繰出容器を提供することを目的としている。
【課題を解決するための手段】
【０００７】
そのため、本発明の棒状化粧材両軸繰出容器においては、内径に螺旋溝を有する中継筒の両端に、回動可能にそれぞれ先筒Ａ、先筒Ｂを連結し、前端に棒状化粧材（化粧用備品を含む）を保持する保持部を備えた芯チャック部材ａを前記先筒Ａ内に収容し、この先筒Ａ、芯チャック部材ａ及び先筒Ａ側の前記中継筒内の螺旋溝で繰出機構Ａを構成するとともに、前端に棒状化粧材（化粧用備品を含む）を保持する保持部を備えた芯チャック部材ｂを前記先筒Ｂ内に収容し、先筒Ｂと芯チャック部材ｂ  先筒Ｂ側の中継筒内の螺旋溝で繰出機構Ｂを構成する手段を講じたものである。
【０００８】
第２の発明においては、棒状化粧材Ａ及び棒状化粧材Ｂのそれぞれの外形寸法が同寸法で形成され、前記繰出機構Ａ＝繰出機構Ｂである手段を講じたものである。
【０００９】
第３の発明においては、中継筒は、両端開口孔付近内径に先筒Ａ及び先筒Ｂを回動可能に連結する嵌合凹部が設けられるとともに、軸方向の内径ほぼ中央に底面が設置され、この底面よりそれぞれの開口孔方向に螺旋溝が形成されている手段を講じたものである。
【００１０】
第４の発明においては、中継筒は、両端開口孔付近内径に先筒Ａ及び先筒Ｂを回動可能に連結する嵌合凹部が設けられるとともに、内径軸方向にそれぞれのストローク長にわたる螺旋溝が形成されている手段を講じたものである。
【発明の効果】
【００１１】
以上の手段を講じることにより、本発明の棒状化粧材両軸繰出容器においては、中継筒の両端に回動可能に先筒Ａ，先筒Ｂを連結し、中継筒と先筒Ａの回動で、先筒Ａ内の棒状化粧材Ａ１を先筒Ａの先端開口孔より突出可能で、この際先筒Ｂ内の棒状化粧材Ｂ１は、後退限に位置する。
【００１２】
繰出機構Ａ，繰出機構Ｂを別々に作動させることが出来るので、棒状化粧材Ａ１の繰出機構Ａは先筒Ａ，先筒Ａ内に収容される芯チャック部材ａ、及び中継筒内の先筒Ａ側の螺旋溝によって構成され、棒状化粧材Ｂ１の繰出機構Ｂは、先筒Ｂ，先筒Ｂ内に収容される芯チャック部材ｂ及び中継筒内の 先筒Ｂ側の螺旋溝によって構成されることを特徴としている。
【００１３】
第２の発明においては、棒状化粧材Ａ１及び棒状化粧材Ｂ１のそれぞれの外形寸法を同寸法とすることで、繰出機構Ａ＝繰出機構Ｂとすることが可能なため、先筒２部材、芯チャック部材２部材、中継筒１部材、射出成形金型３型でプラスティック部材を構成する、低価格な棒状化粧材両軸繰出容器を提供できる。
【００１４】
第３の発明においては、一部材で構成される中継筒は、両端開口孔付近に先筒Ａ及び先筒Ｂを回動可能に連結する嵌合凹部が設けられ、軸方向の内径ほぼ中央に底面が設置され、この底面よりそれぞれの開口孔方向に螺旋溝が形成され、この螺旋溝がそれぞれの繰出機構に使用されるとともに、前記底面がそれぞれの繰出機構の後退限として使用されている。
【００１５】
第４の発明において、一部材で構成される中継筒は、両端開口孔付近に先筒Ａ及び先筒Ｂを回動可能に連結する嵌合凹部が設けられ、内径軸方向にそれぞれのストローク長にわたる螺旋溝が形成されているので、繰出機構の選択によっては後退限の決定できる先筒Ａを使用したり、先筒Ａの後端部を繰出機構Ｂの後退限に使用したりすることで、繰出機構Ａと繰出機構Ｂの繰出ストロークを自由に選択することが可能であるため、様々なニーズに合った棒状化粧材両軸繰出容器を低コストで供給できる。
【発明を実施するための最良の形態】
【００１６】
本発明は棒状化粧材両軸繰出容器であるため、実施例１では中継筒の片側より繰り出される棒状化粧材を棒状化粧材Ａ１として、これに使用する繰出機構を繰出機構Ａとし、反対側より繰り出される棒状化粧材を棒状化粧材Ｂ１とし、繰出機構を繰出機構Ｂとして説明している。
【００１７】
第２実施例では、中継筒の一方より繰り出される棒状化粧材を棒状化粧材Ｅ１とし、繰出機構をＥとし、反対側の棒状化粧材（チップとしている）をＤ１とし、この繰出機構をＤとして説明する。
【実施例１】
【００１８】
図１，図２，図３は、本発明の第１の実施の形態を示す第１実施例であって、図１は本発明の棒状化粧材両軸繰出容器１の縦一部断面図を示す図で、図２は、先筒Ａ側の棒状化粧材Ａ１を前進限まで繰り上げ、先筒Ｂ側の棒状化粧材Ｂ１は、未だ後退限に位置する状態を示した図である。図３は、棒状化粧材両軸繰出容器１に使用される各部材を示した図であり、この各部材に示す各部位の記入番号で、棒状化粧材両軸繰出容器１を詳細に説明していく。
【００１９】
第１実施例の棒状化粧材両軸繰出容器１に使用される棒状化粧材Ａ１、及び棒状化粧材Ｂ１は、ともに外径が２ｍｍの寸法で製作されているため、先筒１０Ａ＝先筒１０Ｂ、芯チャック部材３０ａ＝芯チャック部材３０ｂとして形成される。
先筒２部材、芯チャック部材２部材、中継筒１部材、の計５部材により製作され、先筒、芯チャック部材、中継筒はそれぞれ射出成形によるブラスティック部材であるため、金型は３型にて棒状化粧材両軸繰出容器１が製作可能なことを、棒状化粧材両軸繰出容器１の特徴としている。
【００２０】
図１に示す如く、先筒１０Ａは、先端開口孔１１Ａを備えるとともに、軸方向に回動に協する露呈部１５Ａと、中継筒２０に嵌入する嵌入部１５Ａ１より形成され、中継筒２０の開口孔２１Ａ側内径にもうけた嵌合凹部２２Ａに嵌入部１５Ａ１外周にもうけた凸部１３Ａが嵌合することで、回動自在に連結される。
【００２１】
また、先筒１０Ａの貫通孔１４Ａに沿って縦溝１２Ａが複数形成され、後述する芯チャック部材３０ａの棒軸３３ａにもうけた縦リブ３２ａと係合して回転止め機構を構成する。
【００２２】
芯チャック部材３０ａは、先端に棒状化粧材Ａ１を保持する保持部３１ａを備え、延設される棒軸３３ａには縦リブ３２ａが配され、後端に径大部３４ａが設けられ、この外周に複数の螺合突起３５ａが形成され、中継筒２０内の螺旋溝２３Ａに螺合することで、繰出機構を構成している。
【００２３】
先筒１０Ｂも、先筒１０Ａと全く同様な先端開口孔１１Ｂと、これに続く貫通孔１４Ｂと貫通孔１４Ｂに沿った縦溝１２Ｂを備え、中継筒２０の開口孔２１Ｂ側より嵌入部１５Ｂ１が嵌入され、嵌合凹部２２Ｂと凸部１３Ｂの嵌合により回動自在に中継筒２０に先筒Ｂが連結される。
【００２４】
収容される芯チャック部材３０ｂは芯チャック部材３０ａと全く同一の構成で、先端に棒状化粧材Ｂ１を保持する保持部３１ｂを備え、延設される棒軸３３ｂには、先筒Ｂの縦溝１２Ｂに係合して回転止め機構を司る縦リブ３２ｂが複数設けられ、後端の径大部３４ｂ外周の螺合突起３５ｂは螺旋溝２３Ｂに嵌合して、繰出機構を構成する。
【００２５】
また、中継筒２０は、両端に先筒１０Ａ、先筒１０Ｂを回動可能に連結するとともに、軸方向の内径の中央付近に底部２４が設けられ、芯チャック部材３０ａ、芯チャック部材３０ｂのそれぞれの径大部３４ａ、径大部３４ｂ下端面３４ａ２及び３４ｂ２が当接することで、繰出の後退限の位置を決定していることが、棒状化粧材両軸繰出容器１の特徴となっている。
【００２６】
棒状化粧材両軸繰出容器１の作動を説明する。
使用者は中継筒２０と先筒１０Ａの露呈部１５Ａを相互回動すると、前記の繰出機構によって、芯チャック部材３０ａは軸方向に摺動するため、保持部３１ａに支持された棒状化粧材Ａ１は、先筒１０Ａの先端開口孔１１Ａより突出するため、使用者は化粧を施すことを可能とする。
【００２７】
図２に棒状化粧材繰出機構Ａによって、芯チャック部材３０ａが前進限まで繰り上げられた図が示されている。芯チャック部材３０ａの径大部３４ａの上端面３４ａ１が先筒の後端部１６Ａに当接することで、繰出の前進限が決定される。
【００２８】
また、反対側の棒状化粧材繰出機構Ｂは、後退限にあって、芯チャック部材３０ｂの径大部３４ｂの下端面３４ｂ２は、中継筒２０の底面２４Ｂに当接した状態を保っている。
【００２９】
中継筒２０内の螺旋溝２３Ａ、及び螺旋溝２３Ｂは、底部２４を挟んでローレット螺旋溝として形成されているので、芯チャック部材３０ａの径大部３４ａの外周に配した螺合突起３５ａは、ローレット螺旋溝の谷に係合する程度の高さに複数設置されているため、繰出の前進限や後退限において、過剰な回動負荷がかかっても簡単にローレット溝をクラッチする構成となっている。
【００３０】
本発明は、棒状化粧材繰出機構Ａと棒状化粧材繰出機構Ｂが、中継筒２０内の螺旋溝を繰出機構に利用しながら別個に化粧材の繰出、引き込みが可能であり、棒状化粧材Ａ１と棒状化粧材Ｂ１を同時に進出状態で使用できることを特徴としている。
【００３１】
棒状化粧材両軸繰出容器１においては、棒状化粧材Ａ１と棒状化粧材Ｂ１を、外形寸法を同じ寸法としたことを特徴としているが、棒状化粧材Ａ１と棒状化粧材Ｂ１を全く異なる寸法としてもよく、例えば棒状化粧材Ａ１を１．５ｍｍのアイブロウ、棒状化粧材Ｂ１を３ｍｍのリップライナー、または２ｍｍ×３ｍｍの楕円のアイライナー等にして使用することも可能である。
【実施例２】
【００３２】
図４〜図９は、第２の実施例である棒状化粧材両軸繰出容器１０１を示した図で、図４は縦一部断面図を表し、図５は棒状化粧材Ｅ１を前進限まで繰り上げ、棒状化粧材繰出機構Ｄは、未だ後退限位置にある図であり、図６は棒状化粧材繰出機構Ｅに使用される先筒１１０Ｅと芯チャック部材１３０ｅの各部材を示した図で、図７は棒状化粧材繰出機構Ｄに使用される先筒１１０Ｄと芯チャック部材１３０ｄの各部材を表した図であり、図８は棒状化粧材繰出機構Ｄを前進限まで繰り上げた状態を示した図である。
【００３３】
第２実施例の中継筒１２０は、図４，図５，図８に示される如く、円筒体をした筒体で、図５に示す如く両端に開口孔１２１Ｅ・１２１Ｄを備え、この開口孔付近に先筒１１０Ｅ・１１０Ｄとの嵌合に使用される嵌合凹部１２２Ｅ・１２２Ｄが設けられ、内径にはローレット螺旋１２３の螺旋溝１２３Ｅ・１２３Ｄが軸方向にそれぞれのストローク長配されている。
【００３４】
第１実施例の中継筒２０には、内部ほぼ中央に底部２４が設置され、それぞれ両端開口孔２１Ａ・２１Ｂに向かってローレット螺旋が配されていたのに対し、第２実施例ではローレット螺旋溝が切れ目なく形成されていることを特徴としている。
【００３５】
棒状化粧材両軸繰出容器１０１は、図４に示されている如く、中継筒１２０内の螺旋溝を繰出機構として利用した棒状化粧材繰出機構Ｅと、棒状化粧材繰出機構Ｄとの合体である。
【００３６】
第１実施例では、棒状化粧材繰出機構Ａ＝棒状化粧材繰出機構Ｂとするとともに、棒状化粧材外形寸法を棒状化粧材Ａ１＝棒状化粧材Ｂ１としたため、先筒１０Ａ＝先筒１０Ｂ、芯チャック部材３０ａ＝芯チャック部材３０ｂとして射出成形金型３型、先筒部材２，芯チャック部材２，中径筒部材１の計５部材で棒状化粧材両軸繰出容器１を完成させていたが、棒状化粧材繰出機構Ｅ及び棒状化粧材繰出機構Ｄは、前記棒状化粧材繰出機構Ａ及びＢとは全く構成を異なったものとしている。
【００３７】
図６の（Ａ）は、棒状化粧材繰出機構Ｅに使用される先筒１１０Ｅを示し、（Ｃ）は芯チャック部材１３０ｅを示す図である。先筒１１０Ｅは、先端に棒状化粧材Ｅ１が進退する先端開口孔１１１Ｅを備え、この先端開口孔１１１Ｅと同寸法で、貫通孔１１４Ｅが下向き段部１１７Ｅまで穿設され、この貫通孔１１４Ｅに沿って縦溝１１２Ｅが十字状に４列に設けられる。
【００３８】
この先筒１１０Ｅは、中継筒１２０の開口孔１２１Ｅ側より嵌入部１１５Ｅ１が嵌入し、凸部１１３Ｅと嵌合凹部１２２Ｅによって回動可能に連結される。
【００３９】
芯チャック部材１３０ｅは前端に棒状化粧材Ｅ１を保持する保持部１３１ｅが爪片１３９ｅとして十字方向に４列設けられ、図６の（Ｂ）図に示される縦溝１１２Ｅに位置して棒状化粧材Ｅ１を保持する。
【００４０】
爪片１３９ｅより延設される棒軸１３３ｅは、（Ｄ）図に示す如く、十字状に形成され、縦リブ１３２ｅは、先筒１１０Ｅの縦溝１１２Ｅに係合して回転止め機構を構成する。棒軸１３３ｅの後端は、径大部１３４ｅとして形成され、この外周に４つの螺合突起１３５ｅが配されて、前記中継筒１２０内の螺旋溝１２３Ｅに螺合して、繰出機構を構成している。
【００４１】
図５に先筒１１０Ｅの露呈部１１５Ｅと中継筒を回動し、前記繰出機構によって爪片１３９ｅに保持された棒状化粧材Ｅ１を前進限まで繰り上げた状態を示す図が、示されている。
【００４２】
棒状化粧材繰出機構Ｄに使用される各部材は図７に示され、先筒１１０Ｄは先端開口孔１１１Ｄを備えた円筒体で、回動に使用される露呈部１１５Ｄと、中継筒１２０内に嵌入する嵌入部１１５Ｄ１から構成され、この嵌入部１１５Ｄ１には中継筒１２０に回動可能に連結される凸部１１３Ｄを備え、中継筒１２０の螺旋溝１２３Ｄと重なる部位には、軸方向にスリット１１２Ｄ１が一対設けられるとともに、このスリット１１２Ｄ１の前後端には載置部１１８Ｄ１及び載置部１１８Ｄ２が設置され、後述する芯チャック部材１３０ｄの螺合突起１３５ｄが前記載置部１１８Ｄ１，１１８Ｄ２間を摺動する。
【００４３】
芯チャック部材１３０ｄの前端の腔部にある棒状化粧材保持部１３１ｄには、棒状化粧材の代わりにチップＤ１が固着されている。
【００４４】
芯チャック部材１３０ｄは、前記先筒１１０Ｄの貫通孔１１４Ｄ内を摺動可能な円筒体として形成され、棒軸１３３ｄの腔部には一対の螺合突起１３５ｄが配されている。
【００４５】
芯チャック部材１３０ｄは先筒１１０Ｄのスリット１１２Ｄ２を拡開して先筒１１０Ｄの貫通孔１１４Ｄ内に収容され、芯チャック部材１３０ｄの一対の螺合突起１３５ｄはスリット１１２Ｄ１内に収容される。
【００４６】
図８を用いて棒状化粧材繰出機構Ｄの作動を説明する。
芯チャック部材１３０ｄの螺合突起１３５ｄは、先筒１１０Ｄの壁肉１１７Ｄを貫通して中継筒１２０内の螺旋溝１２３Ｄに螺合しているため、先筒１１０Ｄの露呈部１１５Ｄと中継筒１２０とを回動すると、芯チャック部材１３０ｄは繰出機構によって螺合突起１３５ｄがスリット１１２Ｄ１内を軸方向に移動することで、芯チャック部材１３０ｄ先端に固着されたチップＤ１は先筒１１０Ｄの先端より突出し、螺合突起１３５ｄがスリット１２２Ｄ１の前部載置部１１８Ｄ１に載置された場所が繰出の前進限となる。
【００４７】
第２実施例では、全く構成の異なる棒状化粧材繰出機構Ｄ及びＥを、先筒１１０Ｄ及び先筒１１０Ｅと、内径軸方向にローレット螺旋１２３の螺旋溝１２３Ｅ・１２３Ｄを配した中継筒１２０と、それぞれの先筒１１０Ｄ及び先筒１１０Ｅ内に収容される芯チャック部材１３０ｄ及び芯チャック部材１３０ｅより構成され、前記中継筒１２０内の螺旋溝１２３Ｄ及び螺旋溝１２３Ｅを利用した繰出機構とすることで、今までにない棒状化粧材両軸繰出容器１０１を構成している。
【００４８】
棒状化粧材両軸繰出容器１０１の特徴は、（１）図８で示されるように、棒状化粧材繰出機構Ｅの後退限は、先筒１１０Ｄの後端部１１６Ｄに芯チャック部材１３０ｅの径大部１３４ｅの底面下端部１３４ｅ２が当接することで決定するため、中継筒１２０内径には実施例１に存在する底部２４が存在しない。
【００４９】
（２）前記理由より、棒状化粧材繰出機構Ｅの繰出ストロークは、先筒１１０Ｄの嵌入部１１５Ｄ１の軸方向の長さで決定されるので、それぞれのストローク長を自由に選択できる。
【００５０】
（３）棒状化粧材繰出機構Ｄは、繰出の前進限後退限がスリット１１２Ｄ１によって決定されるとともに、螺合機構（芯チャック部材１３０ｄの螺合突起１３５ｄが螺旋溝１２３Ｄに螺合している）の部位と回転止め機構（螺合突起１３５ｄが先筒１１０Ｄのスリット１１２Ｄ１内を摺動する）の部位が同位置にあるので、繰出機構Ｅに比べて軸方向の長さが短く製作できる。
【００５１】
本発明は、棒状化粧材両軸繰出容器であり、内径に螺旋溝を有する中継筒の両端に回動可能にそれぞれ先筒Ａ，先筒Ｂを連結し先筒Ａ側には前端に棒状化粧材（化粧用備品）を保持する保持部を備えた芯チャック部材ａを収容し、前記先筒Ａと芯チャック部材ａと先筒Ａ側の中継筒内の螺旋溝で、繰出機構Ａを構成するとともに、先筒Ｂ側に前端に棒状化粧材（化粧用備品）を保持する保持部を備えた芯チャック部材ｂを収容し、前記先筒Ｂと芯チャック部材ｂと先筒Ｂ側の中継筒内の螺旋溝で繰出機構Ｂを構成することを特徴としており、繰出機構Ａ＝繰出機構Ｂであってもよく、また、全く異なる繰出機構Ａ、繰出機構Ｂとしてもよくアイライナー、アイブロウ、リップライナー、口紅等、またはこれらの化粧を施す用具であるマスカラブラシ、チップ、リップブラシ等を同時にセットすることも出来、別々に摺動可能な便利な棒状化粧材両軸繰出容器を提供できる。
【００５２】
本発明は実施の形態において、棒状化粧材繰出機構Ａ＝Ｂ（第１実施例）、棒状化粧材繰出機構Ｅ及び棒状化粧材繰出機構Ｄ（第２実施例）として繰出機構を紹介したが、繰出機構としてこれに限るものではなく、中継筒内の螺旋溝を利用した両軸の繰出機構であれば、本発明の範疇に属するものである。
【産業上の利用可能性】
【００５３】
繰出機構の組み合わせによっては、今まで出来ない棒状化粧材の両軸繰出容器を提供可能とする。例えば、第２実施例の繰出機構Ｅ（回転止め機構と螺合機構が重なり合った繰出機構）を両端に使用すれば、両軸繰出容器でありながら、軸方向の寸法が短い製品を提供可能となり、化粧ポーチなどに簡単に入る、携帯性の高い両軸繰出容器としても利用できる。
【図面の簡単な説明】
【００５４】
【図１】本発明の第１実施例の棒状化粧材両軸繰出容器の縦一部断面図である。
【図２】図１の棒状化粧材両軸繰出容器の先筒Ａを前進限に、先筒Ｂを後退限に位置させた縦一部断面図である。
【図３】図１の棒状化粧材両軸繰出容器の各部材を示す断面図である。
【図４】本発明の第２実施例の棒状化粧材両軸繰出容器の縦一部断面図である。
【図５】図４の棒状化粧材両軸繰出容器の棒状化粧材Ｅ１を前進限に、Ｄ１を後退限に位置させた状態を示す縦一部断面図である。
【図６】第２実施例の繰出機構Ｅに使用される先筒と芯チャック部材の断面図である。
【図７】第２実施例の繰出機構Ｄに使用される先筒と芯チャック部材の断面図である。
【図８】図４の棒状化粧材両軸繰出容器の繰出機構Ｄを前進限まで繰り出した状態を示す縦一部断面図である。
【図９】従来例である。
【符号の説明】
【００５５】
１・・・      棒状化粧材両軸繰出容器
Ａ・・・      繰出機構
Ｂ・・・      繰出機構
Ａ１・・      棒状化粧材
Ｂ１・・      棒状化粧材
１０Ａ・・    先筒
１０Ｂ・・・  先筒
１１Ａ・・・  先端開口孔
１１Ｂ・・・  先端開口孔
１２Ａ・・・  縦溝
１２Ｂ・・・  縦溝
１３Ａ・・・  凸部
１３Ｂ・・・  凸部
１４Ａ・・・  貫通孔
１４Ｂ・・・  貫通孔
１５Ａ・・・  露呈部
１５Ｂ・・・  露呈部
１５Ａ１・・  嵌入部
１５Ｂ１・・  嵌入部
２０・・・・  中継筒
２１Ａ・・・  開口孔
２１Ｂ・・・  開口孔
２２Ａ・・・  嵌合凹部
２２Ｂ・・・  嵌合凹部
２３Ａ・・・  螺旋溝
２３Ｂ・・・  螺旋溝
２４・・・・  底部
２４Ａ・・・  底面
２４Ｂ・・・  底面
３０ａ・・・  芯チャック部材
３０ｂ・・・  芯チャック部材
３１ａ・・・  保持部
３１ｂ・・・  保持部
３２ａ・・・  縦リブ
３２ｂ・・・  縦リブ
３３ａ・・・  棒軸
３３ｂ・・・  棒軸
３４ａ・・・  径大部
３４ａ２・・  下端面
３４ｂ・・・  径大部
３４ｂ２・・  下端面
３５ａ・・・  螺合突起
３５ｂ・・・  螺合突起
１０１・・・  棒状化粧材両軸繰出容器
Ｄ・・・・・  繰出機構
Ｅ・・・・・  繰出機構
Ｄ１・・・・  チップ
Ｅ１・・・・  棒状化粧材
１１０Ｄ・・  先筒
１１０Ｅ・・・先筒
１１１Ｄ・・  先端開口孔
１１１Ｅ・・  先端開口孔
１１２Ｄ・・  縦溝
１１２Ｄ１・  スリット
１１２Ｄ２・  スリット
１１２Ｅ・・  縦溝
１１３Ｄ・・  凸部
１１３Ｅ・・  凸部
１１４Ｄ・・  貫通孔
１１４Ｅ・・  貫通孔
１１５Ｄ・・  露呈部
１１５Ｅ・・  露呈部
１１５Ｄ１・  嵌入部
１１５Ｅ１・  嵌入部
１１７Ｄ・・  壁肉
１１７Ｅ・・  下向き段部
１１８Ｄ１・  載置部
１１８Ｄ２・  載置部
１２０・・・  中継筒
１２１Ｄ・・  開口孔
１２１Ｅ・・  開口孔
１２２Ｄ・・  嵌合凹部
１２２Ｅ・・  嵌合凹部
１２３Ｄ・・  螺旋溝
１２３Ｅ・・  螺旋溝
１３０ｅ・・  芯チャック部材
１３１ｅ・・  保持部
１３２ｅ・・  縦リブ
１３３ｄ・・  棒軸
１３３ｅ・・  棒軸
１３４ｅ・・  径大部
１３５ｄ・・  螺合突起
１３５ｅ・・  螺合突起
１３９ｅ・・  爪片
【図１】
2005066234.tif 000003
【図２】
2005066234.tif 000004
【図３】
2005066234.tif 000005
【図４】
2005066234.tif 000006
【図５】
2005066234.tif 000007
【図６】
2005066234.tif 000008
【図７】
2005066234.tif 000009
【図８】
2005066234.tif 000010
【図９】
2005066234.tif 000011